(57)【要約】【課題】  画像の位置ずれを簡易で精度良く検出可能な画像形成装置および画像形成検出方法を提供する。【解決手段】  像担持体上のトナー像を中間転写体を介して用紙に転写すると共にテストモードを内蔵する画像形成装置において、テストパターンを発生させて前記中間転写体に転写されたパターン中間像の位置を検出するパターン中間像検出手段と、前記テストパターンを発生させて前記パターン像を前記用紙に形成させる画像形成部と、前記パターン像の位置を検出するパターン像検出手段と、前記パターン中間像に対する前記パターン像の位置ずれを検出する位置ずれ検出手段と、を備えたことを特徴とする画像形成装置。【選択図】        図２
2006072074.tif 000002
【特許請求の範囲】
【請求項１】
像担持体上のトナー像を中間転写体を介して用紙に転写すると共にテストモードを内蔵する画像形成装置において、
テストパターンを発生させて前記中間転写体に転写されたパターン中間像の位置を検出するパターン中間像検出手段と、
前記テストパターンを発生させてパターン像を前記用紙に形成させる画像形成部と、
前記パターン像の位置を検出するパターン像検出手段と、
前記パターン中間像に対する前記パターン像の位置ずれを検出する位置ずれ検出手段と、
を備えたことを特徴とする画像形成装置。
【請求項２】
像担持体上のトナー像を中間転写体を介して用紙に転写すると共にテストモードを内蔵する画像形成装置において、
テストパターンを発生させて前記中間転写体に転写されたパターン中間像の位置を検出するパターン中間像検出手段と、
前記テストパターンを発生させてパターン像を前記用紙に形成させる画像形成部と、
前記パターン像の位置を検出するパターン像検出手段と、
前記パターン中間像に対する前記パターン像の位置ずれを検出する位置ずれ検出手段と、検出された位置ずれに基づき調整量を算出して用紙の位置ずれを解消するように制御する調整手段と、
を備えたことを特徴とする画像形成装置。
【請求項３】
前記位置ずれ検出手段は、テストパターンに対する用紙のパターン像の位置ずれを検出することを特徴とする請求項１または２に記載の画像形成装置。
【請求項４】
前記調整手段は、少なくともレジストローラ、中間転写ローラ、定着ローラ、中間転写体を含むユニットの１つに設けられていることを特徴とする請求項２に記載の画像形成装置。
【請求項５】
前記パターン像検出手段は、画像形成装置内に設けられた原稿を読み取る手段を用いることを特徴とする請求項１から４のいずれか１項に記載の画像形成装置。
【請求項６】
前記調整は自動的に行われることを特徴とする請求項２または４に記載の画像形成装置。
【請求項７】
像担持体上のトナー像を中間転写体を介して用紙に転写すると共にテストモードを内蔵する画像形成装置の画像形成検出方法において、
テストパターンを発生させて前記中間転写体に転写されたパターン中間像の位置を検出し、
前記テストパターンを発生させてパターン像を前記用紙に形成させ、
前記パターン像の位置を検出し、
前記パターン中間像に対する前記パターン像の位置ずれを検出することを特徴とする画像形成検出方法。
【請求項８】
像担持体上のトナー像を中間転写体を介して用紙に転写すると共にテストモードを内蔵する画像形成装置の画像形成調整方法において、
テストパターンを発生させて前記中間転写体に転写されたパターン中間像の位置を検出させ、
前記テストパターンを発生させてパターン像を前記用紙に形成させ、
前記パターン像の位置を検出し、
前記パターン中間像に対する前記パターン像の位置ずれを検出し、
検出された位置ずれに基づき調整量を算出して用紙の位置ずれを解消するように調整することを特徴とする画像形成調整方法。
【発明の詳細な説明】
【技術分野】
【０００１】
本発明は画像形成装置、画像形成検出方法、および画像形成調整方法に関し、特に、画像形成の際の用紙の位置ずれを解消可能な画像形成装置、用紙の位置ずれを検出可能な画像形成検出方法、および用紙の位置ずれを調整可能な画像形成調整方法に関する。
【背景技術】
【０００２】
画像形成機能を備えた画像形成装置においては、画像形成時に画像が、正しく形成されることを意図して画像形成させている。しかしながら、操作者の意図に反して、画像がずれた位置に形成されることがある。
【０００３】
従来、像担持体上のトナー像を中間転写体を介して用紙に転写すると共にテストモードを内蔵し、発生させたテストパターンにより中間転写体に転写されたパターン中間像を検出し、パターン中間像とテストパターンとの像の位置ずれを検出する画像形成装置および画像形成検出方法が知られており、また、位置ずれに基づき調整することも知られている。一例として、画像形成装置のメモリにテストパターンを内蔵し、テストパターン像により、イエロＹ、マゼンタＭ、シアンＣ、ブラックＫ間の画像の位置ずれを検知でき、組立の調整を容易に行うようにした技術が開示されている（特許文献１参照）。
【特許文献１】特開２００３−２９４８８号公報
【発明の開示】
【発明が解決しようとする課題】
【０００４】
しかしながら、画像形成装置では、中間転写体の中間像を用紙に転写する際に生ずる画像の位置ずれについては検出できず、画像の位置ずれを精度良く検出することが望まれる。また、画像形成装置では、中間転写体の中間画像を用紙に転写する際の画像の位置ずれについて調整ができず、画像の位置ずれを精度良く調整することが望まれる。さらに、原稿を歪みなく正確にコピーする要求、両面コピーを所定の位置に相対的なずれがなく正確にコピーする要求等に対応するため、より正確な画像の位置ずれの検出（測定）、さらに、画像形成に係わる機構部の精度のよい調整が求められている。
【０００５】
本発明は上記の課題に鑑みなされたもので、本発明の目的は、画像の位置ずれを簡易で精度良く検出可能な画像形成装置および画像形成検出方法を提供することにある。また、本発明の他の目的は、画像の位置ずれを簡易で精度よく検出及び調整が可能な画像形成装置、画像形成調整方法を提供することにある。
【課題を解決するための手段】
【０００６】
本発明の目的は下記の手段のいずれかにより達成される。
【０００７】
（１）像担持体上のトナー像を中間転写体を介して用紙に転写すると共にテストモードを内蔵する画像形成装置において、テストパターンを発生させて前記中間転写体に転写されたパターン中間像の位置を検出するパターン中間像検出手段と、前記テストパターンを発生させてパターン像を前記用紙に形成させる画像形成部と、前記パターン像の位置を検出するパターン像検出手段と、前記パターン中間像に対する前記パターン像の位置ずれを検出する位置ずれ検出手段と、を備えたことを特徴とする画像形成装置。
【０００８】
（２）像担持体上のトナー像を中間転写体を介して用紙に転写すると共にテストモードを内蔵する画像形成装置において、テストパターンを発生させて前記中間転写体に転写されたパターン中間像の位置を検出するパターン中間像検出手段と、前記テストパターンを発生させてパターン像を前記用紙に形成させる画像形成部と、前記パターン像の位置を検出するパターン像検出手段と、前記パターン中間像に対する前記パターン像の位置ずれを検出する位置ずれ検出手段と、検出された位置ずれに基づき調整量を算出して用紙の位置ずれを解消するように制御する調整手段と、を備えたことを特徴とする画像形成装置。
【０００９】
（３）前記位置ずれ検出手段は、テストパターンに対する用紙のパターン像の位置ずれを検出することを特徴とする（１）または（２）に記載の画像形成装置。
【００１０】
（４）前記調整手段は、少なくともレジストローラ、中間転写ローラ、定着ローラ、中間転写体を含むユニットの１つに設けられていることを特徴とする（２）に記載の画像形成装置。
【００１１】
（５）前記パターン像検出手段は、画像形成装置内に設けられた原稿を読み取る手段を用いることを特徴とする（１）から（４）のいずれか１項に記載の画像形成装置。
【００１２】
（６）前記調整は自動的に行われることを特徴とする（２）または（４）に記載の画像形成装置。
【００１３】
（７）像担持体上のトナー像を中間転写体を介して用紙に転写すると共にテストモードを内蔵する画像形成装置の画像形成検出方法において、テストパターンを発生させて前記中間転写体に転写されたパターン中間像の位置を検出し、前記テストパターンを発生させてパターン像を前記用紙に形成させ、前記パターン像の位置を検出し、前記パターン中間像に対する前記パターン像の位置ずれを検出することを特徴とする画像形成検出方法。
【００１４】
（８）像担持体上のトナー像を中間転写体を介して用紙に転写すると共にテストモードを内蔵する画像形成装置の画像形成調整方法において、テストパターンを発生させて前記中間転写体に転写されたパターン中間像の位置を検出させ、前記テストパターンを発生させてパターン像を前記用紙に形成させ、前記パターン像の位置を検出し、前記パターン中間像に対する前記パターン像の位置ずれを検出し、検出された位置ずれに基づき調整量を算出して用紙の位置ずれを解消するように調整することを特徴とする画像形成調整方法。
【００１５】
ここで「位置ずれ」とは、基準に対する位置ずれの全てを意味し、例えば、基準の点、線、形状に対するずれをいうことにする。
【発明の効果】
【００１６】
以上のように構成したので下記のような効果を奏する。
【００１７】
請求項１、７に記載の発明によれば、テストパターンを発生させて中間転写体に転写されたパターン中間像の位置を検出し、テストパターンを発生させてパターン像を用紙に形成させ、パターン像の位置を検出し、パターン中間像に対する前記パターン像の位置ずれを検出するので、画像の位置ずれを簡易で精度良く検出可能となった。
【００１８】
請求項２、８に記載の発明によれば、テストパターンを発生させて中間転写体に転写されたパターン中間像の位置を検出せ、テストパターンを発生させてパターン像を用紙に形成させ、パターン像の位置を検出し、パターン中間像に対するパターン像の位置ずれを検出し、検出された位置ずれに基づき調整量を算出して用紙の位置ずれを解消するように調整するので、画像の位置ずれを簡易で精度よく検出及び調整が可能となった。
【００１９】
請求項３に記載の発明によれば、テストパターンに対する用紙のパターン像の位置ずれを検出するので、画像の位置ずれをより精度良く検出または、検出と調整が行えるようになった。
【００２０】
請求項４に記載の発明によれば、レジストローラ、中間転写ローラ、定着ローラ、中間転写体を含むユニットの調整ができるようになった。
【００２１】
請求項５によれば、パターン像の検出を原稿を読み取る手段を用いるので、パターン像の検出が簡易となった。
【００２２】
請求項６に記載の発明によれば、調整は自動的に行われるので、調整が簡易で精度よく行えるようになった。
【発明を実施するための最良の形態】
【００２３】
実施の形態における画像形成装置、画像形成検出方法および画像形成調整方法について説明する。最初に、＜画像形成装置の機械的構成＞について説明する。図１は実施の形態に係わる画像形成装置の構成を示す図である。
【００２４】
図１に示すように、画像形成装置は、中間転写体を介してカラー画像形成を形成するタンデム型の画像形成装置で、複数組の画像形成部１０Ｙ、１０Ｍ、１０Ｃ、１０Ｋと、中間転写ユニット７と、給紙搬送部及び定着手段２８とから成る。画像形成装置本体（以下、装置本体と称す）Ａの上部には、画像読取手段ＳＣが配置されている。
【００２５】
イエロー色の画像を形成する画像形成部１０Ｙは、像担持体（感光体）１Ｙの周囲に配置された帯電手段２Ｙ、露光手段３Ｙ、現像手段４Ｙ、一次転写手段５Ｙ、クリーニング手段６Ｙを有する。マゼンタ色の画像を形成する画像形成部１０Ｍは、像担持体（感光体）１Ｍ、帯電手段２Ｍ、露光手段３Ｍ、現像手段４Ｍ、一次転写手段５Ｍ、クリーニング手段６Ｍを有する。シアン色の画像を形成する画像形成部１０Ｃは、像担持体（感光体）１Ｃ、帯電手段２Ｃ、露光手段３Ｃ、現像手段４Ｃ、一次転写手段５Ｃ、クリーニング手段６Ｃを有する。黒色画像を形成する画像形成部１０Ｋは、像担持体（感光体）１Ｋ、帯電手段２Ｋ、露光手段３Ｋ、現像手段４Ｋ、一次転写手段５Ｋ、クリーニング手段６Ｋを有する。各画像形成部１０（１０Ｙ，１０Ｍ，１０Ｃ，１０Ｋ）では帯電、露光、現像が行われて、像担持体１上に各色の画像が形成される。
【００２６】
中間転写ユニット７は、複数のローラにより巻回され、回動可能に支持された半導電性エンドレスベルト状の中間転写体７０を有する。
【００２７】
画像形成部１０Ｙ、１０Ｍ、１０Ｃ、１０Ｋより形成された各色の画像は、一次転写手段５Ｙ、５Ｍ、５Ｃ、５Ｋにより、回動する中間転写体７０上に同期がとられて逐次重ね合わせて転写されて、合成されたカラー画像が形成される。給紙カセット２０内に収容された記録媒体（以下、用紙と称す）Ｐは、給紙手段２１により給紙され、複数の中間ローラ２２Ａ、２２Ｂ、２２Ｃ、２２Ｄ、レジストローラ２３を経て、２次転写手段５Ａに搬送され、用紙Ｐ上にカラー画像が一括転写される。カラー画像が転写された用紙Ｐは、定着手段２８により定着処理され、排紙ローラ２５に挟持されて機外の排紙トレイ２６上に載置される。
【００２８】
両面コピーの場合は、用紙Ｐの表面にカラー画像が一括転写され、定着手段２８により定着処理された後に反転搬送路２７を通り、再度、中間ローラ２２Ｄ、レジストローラ２３を経て、２次転写手段５Ａに搬送され、用紙Ｐの裏面にカラー画像が一括転写される。カラー画像が転写された用紙Ｐは、定着手段２８により定着処理され、排紙ローラ２５に挟持されて機外の排紙トレイ２６上に載置される。
【００２９】
一方、２次転写手段（中間転写ローラともいう）５Ａにより用紙Ｐにカラー画像を転写した後、用紙Ｐを曲率分離した中間転写体７０は、クリーニング手段６Ａにより残留トナーが除去される。
【００３０】
画像形成処理中、一次転写手段５Ｋは常時、感光体１Ｋに圧接している。他の一次転写手段５Ｙ、５Ｍ、５Ｃはカラー画像形成時にのみ、それぞれ対応する感光体１Ｙ、１Ｍ、１Ｃに圧接する。２次転写手段５Ａは、ここを用紙Ｐが通過して２次転写が行われる時にのみ、中間転写体７０に圧接する。
【００３１】
次に、＜画像形成装置の電気的構成＞について説明する。図２は実施の形態の画像形成装置内の電気的な構成を示すブロック図である。図２に示すように、全体制御部９は、制御部９ａ、画像処理部９ｂ、パターン像・パターン中間像検出部（パターン像検出手段，パターン中間像検出手段）９ｃ、位置ずれ検出部（位置ずれ検出手段）９ｄ、調整部（調整手段）９ｅ、テストモード選択部９ｆ等を有している。
【００３２】
制御部９ａは、画像形成に関する全体的な制御及びテストモード制御を有する。画像処理部９ｂは画像処理を行う。パターン像・パターン中間像検出部９ｃはパターン像の位置を検出する。位置ずれ検出部９ｄは用紙のパターン像の位置ずれ、およびテストパターン及びパターン中間像に対するパターン像の位置ずれを検出する。調整部（調整手段）９ｅは位置ずれに基づき調整量を算出して用紙の位置ずれを解消するように制御する。テストモード選択部９ｆは位置ずれモードを選択する機能を有する。
【００３３】
操作部９１は位置ずれモードが選択操作される。表示部９２は位置ずれの結果を表示する。画像読取手段（スキャナ）ＳＣは、用紙のパターン像を検出する。画像形成部１０は、パターン像を用紙に形成させる。画像メモリ９５はパターン像をメモリする。さらにパターン中間像スキャナ９３はパターン中間像を検出する。
【００３４】
ここで実施の形態に使用するテストパターンについて説明する。図３はテストパターンを示す図である。テストパターンＴＰには９つの十字線（マーク）が形成されている。用紙の搬送方向に対し、先端側に十字線ｍ１、ｍ２、ｍ３、中央部に十字線ｍ８、ｍ９、ｍ４、後端側に十字線ｍ５、ｍ６、ｍ７がそれぞれ形成されている。なお、表示画面では表裏位置ずれを視覚的に見やすくするために十字線Ｍの近傍は拡大し、十字線Ｍの間隔は縮小して表示されている。
【００３５】
ここで、位置ずれを表示する表示画面について説明する。図４は位置ずれを表示した表示画面の一例を示す図である。図４に示すように、表示画面ＴＳ１は、パターン像ＰＤ、パターン中間像ＰＤＮ、さらにテストパターンＴＰＳの位置ずれを表示している。基準位置として用紙に設けられた端部ＰＳを利用している。なお、表示画面では、位置ずれを視覚的に見やすくするために十字線Ｍの近傍は拡大し、十字線Ｍの間隔は縮小して表示されている。
【００３６】
上記の表示方法による位置ずれ検出結果ついて説明する。
【００３７】
（ａ）定着ローラに誤差がある場合
定着ローラに誤差がある場合の画像の位置ずれについて説明する。図５は位置ずれ検出結果の一例を示す図である。図５（ａ）は要部機構の平面と断面を示す模式図、図５（ｂ）はパターン像の画像の位置ずれの様子を示す模式図である。
【００３８】
図５に示すように、用紙Ｐの基準搬送方向Ｌに対してレジストローラ２３、中間転写ローラ５Ａは直交しており、定着ローラ２４は直交方向に対し傾いて取り付けられている。なお、中間転写ベルト７０には、正しく矩形形状のパターン中間像が転写されているものとする。
【００３９】
ここで、パターン像ＰＤを作成する過程を説明する。最初に、用紙ＴＳＰ１の先端部ａがレジストローラ２３により正しく搬送され、さらに中間転写ローラ５Ａでも正しく搬送される。このとき、用紙ＴＳＰ１にパターン中間像ｃが順次転写されて行く。さらに用紙が搬送され、用紙の先端部ａが定着ローラ２４に到達する。定着ローラ２４はレジストローラ２３、中間転写ローラ５Ａに比べ強い加圧力で用紙を搬送し、用紙の先端部ａが定着ローラ２４にくい込んだ時より、用紙は曲がって搬送され、図５（ｂ）に示すように、パターン像ＰＤは、最初は正しい形状で途中より曲がった形状ｄとなる。このようなパターン現象が見られる場合は、定着ローラ２４が傾いて取り付けられていることになる。パターン像ＰＤの曲がり程度を基に定着ローラ２４の傾きを調整することにより、正しいパターン像が得られるようになる。なお、テストパターンＴＰＳ、パターン中間像ＰＤＮは位置ずれのない状態を示し、用紙の先端側でも位置ずれを起こしていない。この場合、露光装置が正しく調整、書き込みタイミングも正しく調整されていることが分かる。
【００４０】
（ｂ）レジストローラに誤差がある場合
レジストローラに誤差がある場合の画像の位置ずれについて説明する。図６（ａ）は、要部機構の平面と断面を示す模式図、図６（ｂ）は、パターン像の画像の位置ずれの様子を示す模式図である。
【００４１】
図６に示すように、用紙の基準搬送方向Ｌに対して中間転写ローラ５Ａ、定着ローラ２４は直交しており、レジストローラ２３は直交方向に対し傾いて取り付けられている。なお、中間転写ベルト７０には、正しい矩形形状のパターン中間像が転写されているものとする。
【００４２】
ここで、パターン像ＰＤが作成される過程を説明する。最初に、用紙ＴＳＰ２の先端部ａがレジストローラ２３により傾いて搬送され、さらに中間転写ローラ５Ａでも用紙は略傾いたまま搬送される。このとき、用紙ＴＳＰ２にパターン中間像が順次転写され、用紙の先端部ａが定着ローラ２４に到達する。定着ローラ２４はレジストローラ２３、中間転写ローラ５Ａに比べ強い加圧力で用紙を搬送するので、用紙の先端部ａが定着ローラ２４にくい込んだ時より、曲がって搬送された用紙が元に戻される方向に曲がって搬送される。図５（ｂ）に示すように、用紙ＴＳＰ２のパターン像ＰＤは、最初は曲ったままで形状が崩れず、途中より用紙の側端と平行になる方向に曲がった形状ｄとなる。このようなパターン現象が見られる場合は、レジストローラ２３が傾いて取り付けられていることになる。パターン像ＰＤの傾きや曲がり程度を基にレジストローラ２３の傾きを調整することにより、正しいパターン像が得られるようになる。
【００４３】
（ｃ）中間転写ローラ（２次転写手段）に誤差がある場合
中間転写ローラに誤差がある場合の画像の位置ずれについて説明する。図７（ａ）は要部機構の平面と断面を示す模式図、図７（ｂ）はパターン像の画像の位置ずれの様子を示す模式図である。
【００４４】
図７に示すように、用紙の基準搬送方向Ｌに対してレジストローラ２３、定着ローラ２４は直交しており、中間転写ローラ５Ａは直交方向に対し傾いて取り付けられている。なお、中間転写ベルト７０には、正しい矩形形状のパターン中間像が転写されているものとする。
【００４５】
ここで、パターン像が作成される過程を説明する。最初に、用紙ＴＳＰ３の先端部ａが正しいレジストローラ２３により用紙は搬送され、さらに中間転写ローラ５Ａでも用紙は略傾いたまま搬送される。用紙ＴＳＰ３にパターン中間像ｃが順次転写されて行く。用紙の先端部ａが、定着ローラ２４に到達する。定着ローラ２４はレジストローラ２３、中間転写ローラ５Ａに比べ強い加圧力で用紙を搬送するので、用紙の先端部ａが定着ローラ２４にくい込んだ時より、曲がって搬送された用紙が元に戻される方向に曲がって搬送される。そのため、図５（ｂ）に示すように、された用紙ＴＳＰ３のパターン像ＰＤは、最初は平行四辺形のようにずれた形状となり、途中より曲がった形状ｄとなる。このようなパターン現象が見られる場合は、中間転写ローラ５Ａが傾いて取り付けられていることになる。パターン像ＰＤのずれ、曲がり程度を基に中間転写ローラ５Ａの傾きを調整することにより、正しいパターン像が得られるようになる。以上のように単純なレジストローラ２３、中間転写ローラ５Ａ、定着ローラ２４のいずれか１つに曲がり誤差がある場合、誤差を調整することができる。
【００４６】
レジストローラ、中間転写ローラ、定着ローラのいずれか２つに傾きがある場合、全てに傾きがある場合については、例えば、予めレジストローラ、中間転写ローラ、定着ローラの傾きを種々設けたパターンを調べておき、実際にテストしたパターンとの対比により、誤差を調整することができる。
【００４７】
（画像形成検出方法および画像形成調整方法）
実施の形態の画像形成装置を用いて画像形成検出方法、画像形成調整方法について図１、図４、図８を参照して説明する。図８は画像形成装置における画像形成検出方法、調整方法を示すフローチャート図である。
フローＦ２１：操作部９１により位置ずれテストモードを選択する。
フローＦ２２：テストパターンを発生させてパターン中間像を形成させる。
フローＦ２３：パターン中間像スキャナ９３によりパターン中間像ＰＤＮを検出する。
フローＦ２４：テストパターンＴＰを発生させて用紙にパターン像ＰＤを形成させる。
フローＦ２５：このパターン像が形成された用紙を画像読取手段（スキャナ）ＳＣによりパターン像ＰＤを検出する。
フローＦ２６：パターン像ＰＤの位置を検出する。
フローＦ２７：テストパターン、パターン中間像に対する用紙のパターン像の位置ずれを検出する。
フローＦ２８：位置ずれに基づき調整量を算出する。
フローＦ２９：位置ずれを調整する。
【００４８】
以上のように、テストパターンを発生させ、テストパターン、パターン中間像、用紙のパターン像の相互のパターン形状を含めた位置ずれを検出するので、位置ずれを簡易で精度良く検出でき、また、上記のような情報量の多い検出結果に基づき、位置ずれ原因を容易に見つけられ、調整量も明確となり、適切な精度のよい調整ができる。従って、位置ずれを簡易で詳しく検出でき、調整内容がより明確で、正しい位置に画像を精度よく一致させることが可能となる。
【００４９】
なお、要求精度により、テストパターンに対する用紙のパターン像の位置ずれの検出を除くことも可能である。
【００５０】
また、画像形成装置としてカラー画像形成装置について説明したが、白黒の画像形成装置、プリンタでも同様に実施できる。
【００５１】
また、定着ローラ、レジストローラ等の調整について説明したが、中間転写体ユニットを調整することも同様の方法により可能である。
【００５２】
また、実施の形態ではテストパターンＴＰとして、９つの十字線を設けた例について説明したが、例えば、各種機構の位置を調整するに適した線、ドット、図形等であっても良い。
【００５３】
また、実施の形態では、画像の位置ずれを画像形成装置の操作パネルに設けたディスプレイにテストパターンまたはパターン中間像とパターン像とを重ねて表示画面に表示した例について説明したが、表示画面の画像をプリントするようにしてもよい。
【００５４】
さらに、実施の形態では、画像の位置ずれの調整を手動で行う方法について説明したが、公知のステップモータ等を利用して自動的に行うようにすることもできる。
【図面の簡単な説明】
【００５５】
【図１】実施の形態に係わる画像形成装置の構成を示す図である。
【図２】実施の形態の画像形成装置内の電気的な構成を示すブロック図である。
【図３】テストパターンを示す図である。
【図４】位置ずれを表示した表示画面の一例を示す図である。
【図５】位置ずれ検出結果の一例を示す図である。
【図６】要部機構の平面と断面を示す模式図およびパターン像の画像の位置ずれの様子を示す模式図である。
【図７】要部機構の平面と断面を示す模式図およびパターン像の画像の位置ずれの様子を示す模式図である。
【図８】画像形成装置における画像形成検出方法及び調整方法のフローチャートを示す図である。
【符号の説明】
【００５６】
５Ａ  転写ローラ
２３  レジストローラ
２４  定着ローラ
９ｃ  パターン像・パターン中間像位置検出部（パターン像検出手段、パターン中間像検出手段）
９ｄ  位置ずれ検出部（位置ずれ検出手段）
９ｅ  調整部（調整手段）
９２  表示部
９３  パターン中間像スキャナ
ＳＣ  画像読取手段（スキャナ）
ＴＰ  テストパターン
ＰＤ  パターン像
ＰＤＮ  パターン中間像
【図１】
2006072074.tif 000003
【図２】
2006072074.tif 000004
【図３】
2006072074.tif 000005
【図４】
2006072074.tif 000006
【図５】
2006072074.tif 000007
【図６】
2006072074.tif 000008
【図７】
2006072074.tif 000009
【図８】
2006072074.tif 000010